(57)【特許請求の範囲】
【請求項１】
データを取得するデータ取得部と、
複数の変調方式のうち指定された変調方式で無線信号を送信する送信部と、
前記送信部が無線信号を送信する変調方式の各々について、前記データ取得部が取得したデータのうち前記送信部が送信する無線信号に含める箇所を指定する抽出指示情報を取得する抽出指示情報取得部と、
前記送信部が送信する無線信号の変調方式を指定する変調方式情報を取得する変調方式情報取得部と、
前記変調方式情報取得部が取得した変調方式情報が指定する変調方式に対応付けて前記抽出指示情報にて指定された箇所を、前記データ取得部が取得したデータから抽出し、抽出したデータを含む送信信号を生成する送信信号生成部と、
を具備し、
前記送信部は、前記送信信号生成部が生成した前記送信信号を、前記変調方式情報取得部が取得した変調方式情報が指定する変調方式にて送信する、
ことを特徴とする通信装置。
【請求項２】
第１通信装置と第２通信装置とを具備する通信システムであって、
前記第１通信装置は、
データを取得するデータ取得部と、
複数の変調方式のうち指定された変調方式で無線信号を送信する送信部と、
前記送信部が無線信号を送信する変調方式の各々について、前記データ取得部が取得したデータのうち前記送信部が送信する無線信号に含める箇所を指定する抽出指示情報を取得する抽出指示情報取得部と、
前記送信部が送信する無線信号の変調方式を指定する変調方式情報を取得する変調方式情報取得部と、
前記変調方式情報取得部が取得した変調方式情報が指定する変調方式に対応付けて前記抽出指示情報にて指定された箇所を、前記データ取得部が取得したデータから抽出し、抽出したデータを含む送信信号を生成する送信信号生成部と、
を具備し、
前記送信部は、前記送信信号生成部が生成した前記送信信号を、前記変調方式情報取得部が取得した変調方式情報が指定する変調方式にて送信し、
前記第２通信装置は、
無線信号を受信する受信部と、
前記受信部が受信した無線信号から、前記送信信号生成部が含めた各データを抽出するデータ抽出部と、
を具備することを特徴とする通信システム。
【請求項３】
通信装置が行う無線送信方法であって、
データを取得するデータ取得ステップと、
複数の変調方式のうち指定された変調方式で無線信号を送信する送信ステップと、
前記送信ステップで無線信号を送信する変調方式の各々について、前記データ取得ステップで取得したデータのうち、前記送信ステップで送信する無線信号に含める箇所を指定する抽出指示情報を取得する抽出指示情報取得ステップと、
前記送信ステップで送信する無線信号の変調方式を指定する変調方式情報を取得する変調方式情報取得ステップと、
前記変調方式情報取得ステップで取得した変調方式情報が指定する変調方式に対応付けて前記抽出指示情報にて指定された箇所を、前記データ取得ステップで取得したデータから抽出し、抽出したデータを含む送信信号を生成する送信信号生成ステップと、
を具備し、
前記送信ステップでは、前記送信信号生成ステップで生成した前記送信信号を、前記変調方式情報取得ステップで取得した変調方式情報が指定する変調方式にて送信する、
ことを特徴とする無線送信方法。
【発明の詳細な説明】
【技術分野】
【０００１】
本発明は、通信装置、通信システムおよび無線送信方法に関する。
【背景技術】
【０００２】
無線通信において、無線伝送路の状態に応じて変調方式を自動的に切り替える適応変調方式が知られている。具体的には、通信装置が、無線伝送路の状態が良好な場合には、無線伝送路の状態悪化に対する耐力は小さいが、伝送容量が大きい変調方式（例えば多値数の大きい多重変調方式）を用いて送信を行い、無線伝送路の状態が悪化した場合には、伝送容量は小さいが、無線伝送路の状態悪化に対する耐力が大きい変調方式（例えば多値数の小さい多重変調方式）を用いて送信を行う。
【０００３】
また、特許文献１に記載の無線伝送装置は、対向局の受信電力を予め設定した一定値に保つように自局の送信電力を制御する自動送信電力制御機能と、無線伝送路の品質に応じて変調方式を自動的に切り替える適応変調方式の機能を有する無線伝送装置において、対向局から受信した送信可能な最大送信電力と現在の送信電力との差である送信電力余裕と、自局で検出した自局受信電力を考慮して、前記適応変調方式による変調方式を切り替える変調方式決定回路を含む。例えば、受信電力が変調方式切替閾値を下回っても、対向局のＡＴＰＣで受信電力を変調方式切替閾値以上に回復できる場合には、変動耐力は大きいが伝送容量が小さい変調方式への切り替えを抑制することで、不要な信号断の発生を防ぐことができる。
【０００４】
また、適応変調を行う多重変調方式において、通信対象の信号に対する優先度を予め設定しておく方法が知られている。具体的には、通信装置が、多重対象の信号毎の優先度を予め記憶しておく。そして、無線伝送路の状態が良好な場合、通信装置は、多重対象の信号を全て多重して送信する。一方、無線伝送路の状態が悪化した場合、優先度の高い信号を優先的に多重し、優先度の低い信号を多重しないことで、伝送容量を抑えて送信する。これにより、無線伝送路の状態が悪化した場合でも、優先度の高い信号の伝送速度を保持することが出来る。
【先行技術文献】
【特許文献】
【０００５】
【特許文献１】特開２００９−１７７４５９号公報
【発明の概要】
【発明が解決しようとする課題】
【０００６】
しかしながら、適用変調方式において、伝送容量が減少して情報が選択的に送信される場合、装置の監視や制御に必要な情報が送信されなくなり、受信側の装置（受信側の通信装置、あるいは当該通信装置に接続される装置）において、送信側の装置（送信側の通信装置、あるいは当該通信装置に接続される装置）の監視や制御を行えなくなるおそれがある。
例えば、適応変調を行う多重変調方式において無線伝送路の状態が悪化し、通信装置が、優先度の低い信号を多重しなくなった場合、受信側の通信装置は、多重されなくなった信号に含まれる遠隔地の装置の監視制御情報を取得できず、遠隔地の装置の監視や制御を行えなくなるおそれがある。
【０００７】
本発明は、上述の課題を解決することのできる通信装置、通信システムおよび無線送信方法を提供することを目的としている。
【課題を解決するための手段】
【０００８】
この発明は上述した課題を解決するためになされたもので、本発明の一態様による通信装置は、データを取得するデータ取得部と、複数の変調方式のうち指定された変調方式で無線信号を送信する送信部と、前記送信部が無線信号を送信する変調方式の各々について、前記データ取得部が取得したデータのうち前記送信部が送信する無線信号に含める箇所を指定する抽出指示情報を取得する抽出指示情報取得部と、前記送信部が送信する無線信号の変調方式を指定する変調方式情報を取得する変調方式情報取得部と、前記変調方式情報取得部が取得した変調方式情報が指定する変調方式に対応付けて前記抽出指示情報にて指定された箇所を、前記データ取得部が取得したデータから抽出し、抽出したデータを含む送信信号を生成する送信信号生成部と、を具備し、前記送信部は、前記送信信号生成部が生成した前記送信信号を、前記変調方式情報取得部が取得した変調方式情報が指定する変調方式にて送信する、ことを特徴とする。
【０００９】
また、本発明の一態様による通信システムは、第１通信装置と第２通信装置とを具備する通信システムであって、前記第１通信装置は、データを取得するデータ取得部と、複数の変調方式のうち指定された変調方式で無線信号を送信する送信部と、前記送信部が無線信号を送信する変調方式の各々について、前記データ取得部が取得したデータのうち前記送信信号が送信する無線信号に含める箇所を指定する抽出指示情報を取得する抽出指示情報取得部と、前記送信部が送信する無線信号の変調方式を指定する変調方式情報を取得する変調方式情報取得部と、前記変調方式情報取得部が取得した変調方式情報が指定する変調方式に対応付けて前記抽出指示情報にて指定された箇所を、前記データ取得部が取得したデータから抽出し、抽出したデータを含む送信信号を生成する送信信号生成部と、を具備し、前記送信部は、前記送信信号生成部が生成した前記送信信号を、前記変調方式情報取得部が取得した変調方式情報が指定する変調方式にて送信し、前記第２通信装置は、
無線信号を受信する受信部と、前記受信部が受信した無線信号から、前記送信信号生成部が含めた各データを抽出するデータ抽出部と、を具備することを特徴とする。
【００１０】
また、本発明の一態様による無線送信方法は、通信装置が行う無線送信方法であって、データを取得するデータ取得ステップと、複数の変調方式のうち指定された変調方式で無線信号を送信する送信ステップと、前記送信ステップで無線信号を送信する変調方式の各々について、前記データ取得ステップで取得したデータのうち、前記送信ステップで送信する無線信号に含める箇所を指定する抽出指示情報を取得する抽出指示情報取得ステップと、前記送信ステップで送信する無線信号の変調方式を指定する変調方式情報を取得する変調方式情報取得ステップと、前記変調方式情報取得ステップで取得した変調方式情報が指定する変調方式に対応付けて前記抽出指示情報にて指定された箇所を、前記データ取得ステップで取得したデータから抽出し、抽出したデータを含む送信信号を生成する送信信号生成ステップと、を具備し、前記送信ステップでは、前記送信信号生成ステップで生成した前記送信信号を、前記変調方式情報取得ステップで取得した変調方式情報が指定する変調方式にて送信する、ことを特徴とする。
【発明の効果】
【００１１】
本発明によれば、無線伝送路の状態が悪化し、適応変調方式の機能により伝送容量が減少して情報が選択的に送信される場合でも、受信側の装置において、装置の監視や制御を行い得る。
【図面の簡単な説明】
【００１２】
【図１】本発明の一実施形態における無線伝送システムの構成を示す概略ブロック図である。
【図２】同実施形態における抽出指示情報のデータ構成を示すデータ構成図である。
【図３】同実施形態における抽出指示情報の例を示す説明図である。
【図４】同実施形態において、多重制御部が、無線伝送装置における信号の多重を制御する処理手順を示すフローチャートである。
【図５】同実施形態において、多重部が行う多重処理の例を示す説明図である。
【図６】同実施形態において、無線ＯＨ生成部が無線オーバーヘッド情報に含める多重情報の例を示す説明図である。
【図７】同実施形態において、無線伝送装置が、無線伝送装置から送信された信号からデータを抽出してＳＴＭ−１信号を送信する処理手順を示すフローチャートである。
【発明を実施するための形態】
【００１３】
以下、図面を参照して、本発明の実施の形態について説明する。
図１は、本発明の一実施形態における無線伝送システムの構成を示す概略ブロック図である。同図において、無線伝送システム（通信システム）１は、無線伝送装置（通信装置、第１通信装置）１００と、無線伝送装置（第２通信装置）５００と、監視端末装置９００とを具備する。無線伝送装置１００は、ＳＴＭ受信部１０１−１および１０１−２と、ＳＯＨ抽出部１０２−１および１０２−２と、非多重信号受信部１０３と、無線ＯＨ生成部１０４と、多重部（送信信号生成部）１０５と、無線フレーム送信部（送信部）１０６と、抽出指示情報取得部１０９と、無線フレーム受信部（変調方式情報取得部）１１０と、分離部１１１と、変調方式制御部１１２と、多重制御部１１３とを具備する。無線伝送装置５００は、多重部５０５と、無線フレーム送信部５０６と、無線フレーム受信部（受信部）５１０と、分離部（データ抽出部）５１１と、変調方式制御部５１２と、信号品質監視部５１９と、無線ＯＨ終端部５２１と、ＳＴＭ生成部５２２−１および５２２−２と、ＳＴＭ送信部５２３−１および５２３−２と、非多重信号送信部５２４とを具備する。
【００１４】
無線伝送装置１００は、複数の信号を受信して多重し、無線信号にて無線伝送装置５００に送信する。なお、本実施形態では、無線伝送装置１００と、無線伝送装置５００とが、共に多重伝送方式の信号の送信機能と受信機能とを具備するが、図を見易くするために、無線伝送装置１００を多重伝送方式の信号の送信側として図示および説明し、無線伝送装置５００を多重伝送方式の信号の受信側として図示および説明する。
ただし、本発明の適用範囲は、双方向に多重伝送方式の信号を送受信可能な無線伝送システムに限らない。データ送信側の無線伝送装置がデータ受信側の無線伝送装置に、多重または非多重の伝送方式の信号にてデータを送信する、様々な無線伝送システムに本発明を適用し得る。
【００１５】
ＳＴＭ受信部１０１−１は、外部の通信装置から送信されたデータを取得する。具体的には、ＳＴＭ受信部１０１−１は、外部の通信装置からＳＴＭ−１（Synchronous Transport Module-1）信号にて送信されたデータを取得する。そして、ＳＴＭ受信部１０１−１は、受信したＳＴＭ−１信号をＳＯＨ抽出部１０２−１と多重部１０５とに出力する。
ここで、ＳＴＭは、ＩＴＵ−Ｔ（International Telecommunication Union Telecommunication Standardization Sector、国際電気通信連合の電気通信標準化部門）が規定するＩＴＵ−Ｔ  Ｇ．７０７で規格化されたＳＤＨ（Synchronous Digital Hierarchy）の信号フレームフォーマットである。
同様に、ＳＴＭ受信部１０１−２は、外部の通信装置から送信されたデータを取得する。具体的には、ＳＴＭ受信部１０１−２は、外部の通信装置からＳＴＭ−１信号にて送信されたデータを取得する。そして、ＳＴＭ受信部１０１−２は、受信したＳＴＭ−１信号をＳＯＨ抽出部１０２−２と多重部１０５とに出力する。
なお、以下では、ＳＴＭ受信部１０１−１がＳＴＭ−１信号を受信する通信路を「ＣＨ１」（チャンネル１）にて示し、ＳＴＭ受信部１０１−２がＳＴＭ−１信号を受信する通信路を「ＣＨ２」（チャンネル２）にて示す。
【００１６】
ＳＯＨ抽出部１０２−１は、ＳＴＭ受信部１０１−１から出力されたＳＴＭ−１信号のフレーム同期を取ってＲＳＯＨ（Regenerator Section Overhead、中継セクションオーバーヘッド）情報を抽出する。そして、ＳＯＨ抽出部１０２−１は、抽出したＲＳＯＨ情報を多重部１０５に出力する。
同様に、ＳＯＨ抽出部１０２−２は、ＳＴＭ受信部１０１−２から出力されたＳＴＭ−１信号のフレーム同期を取ってＲＳＯＨ情報を抽出する。そして、ＳＯＨ抽出部１０２−２は、抽出したＲＳＯＨ情報を多重部１０５に出力する。
【００１７】
非多重信号受信部１０３は、例えばイーサネット（Ethernet。登録商標）信号など多重化されていない信号にて、外部の通信装置から伝送されたデータを取得する。そして、非多重信号受信部１０３は、受信した信号を多重部１０５に出力する。
【００１８】
無線フレーム受信部１１０は、無線信号を受信して復調し、得られた無線フレームを分離部１１１に出力する。特に、無線フレーム受信部１１０は、無線伝送装置５００の無線フレーム送信部１０６が、オーバーヘッド（Overhead）に変調方式情報を含めて送信した多重伝送方式の信号を受信することで、変調方式情報を取得する。ここでいう変調方式情報は、無線フレーム送信部１０６が送信する無線信号の変調方式を指定する情報である。この変調方式情報は、後述する変調方式制御部５１２が、無線伝送装置１００からの受信信号の品質に応じて生成する。
【００１９】
分離部１１１は、無線フレーム受信部１１０から出力された無線フレームから、多重された各信号やオーバーヘッドを分離する。そして、分離部１１１は、分離したオーバーヘッドを変調方式制御部１１２に出力する。
変調方式制御部１１２は、分離部１１１から出力されたオーバーヘッドから、変調方式情報を抽出し、抽出した変調方式情報を多重部１０５と無線フレーム送信部１０６と多重制御部１１３とに出力することで、無線伝送装置１００の変調方式を制御する。
【００２０】
抽出指示情報取得部１０９は、抽出指示情報を取得する。ここでいう抽出指示情報は、無線フレーム送信部１０６が無線信号を送信する変調方式の各々について、ＳＴＭ受信部１０１−１やＳＴＭ受信部１０１−２が取得したデータのうち、無線フレーム送信部１０６が送信する無線信号に含める箇所を指定する情報である。この抽出指示情報は、監視端末装置９００によって生成され、抽出指示情報取得部１０９は、監視端末装置９００から送信された抽出指示情報を記憶しておく。
【００２１】
多重制御部１１３は、抽出指示情報取得部１０９が記憶している抽出指示情報と、変調方式制御部１１２から出力された変調方式情報とに基づいて、多重情報を生成し、生成した多重情報を、無線ＯＨ生成部１０４と多重部１０５とに出力する。ここでいう多重情報は、多重部１０５が多重すべきデータを示す情報である。多重制御部１１３は、ＳＴＭ受信部１０１−１が取得するデータと、ＳＴＭ受信部１０１−２が取得するデータとの各々について多重情報を生成する。後述するように、多重制御部１１３が生成する多重情報は、「ＳＴＭ−１」、「ＯＨ」、「ＲＥＧ」、「ＳＥＬ（・・・）」（・・・には、ＳＴＭ−１信号の一部を指定する情報が含まれる）、「ＡＩＳ」（Alarm Indication Signal、警報表示信号）のいずれかの値をとる。
無線ＯＨ生成部１０４は、多重制御部１１３から出力された多重情報に基づいて無線オーバーヘッド情報（無線フレーム送信部１０６が送信する信号のオーバーヘッド）を生成し、生成した無線オーバーヘッド情報を多重部１０５に出力する。
【００２２】
多重部１０５は、無線フレーム受信部１１０が取得した変調方式情報が指定する変調方式に対応付けて抽出指示情報にて指定された箇所を、ＳＴＭ受信部１０１−１またはＳＯＨ抽出部１０２−１と、ＳＴＭ受信部１０１−２またはＳＯＨ抽出部１０２−２と、非多重信号受信部１０３とが取得した各データから抽出し、抽出したデータを含む送信信号を生成する。
具体的には、多重部１０５は、まず、変調方式制御部１１２から出力された変調方式情報が示す変調方式の無線フレームフォーマットを生成する。また、多重部１０５は、ＳＴＭ受信部１０１−１から出力されたＳＴＭ−１信号またはＳＯＨ抽出部１０２−１から出力されたＲＳＯＨ情報から、当該信号に対する多重情報の示すデータを抽出する。また、多重部１０５は、ＳＴＭ受信部１０１−２から出力されたＳＴＭ−１信号またはＳＯＨ抽出部１０２−１から出力されたＲＳＯＨ情報から、当該信号に対する多重情報の示すデータを抽出する。また、多重部１０５は、非多重信号受信部１０３から出力された信号全体を抽出する。そして、多重部１０５は、抽出した各データを無線フレームフォーマットに多重する。さらに、多重部１０５は、無線ＯＨ生成部１０４から出力された無線オーバーヘッド情報を、無線フレームのオーバーヘッド情報として多重して、送信信号（無線フレーム）を生成する。そして、多重部１０５は、生成した送信信号を無線フレーム送信部１０６に出力する。
【００２３】
無線フレーム送信部１０６は、多重部１０５から出力された送信信号（無線フレーム）を、変調方式制御部１１２から出力された変調方式情報が示す変調方式に従って変調し、送信する。すなわち、無線フレーム送信部１０６は、多重部１０５が生成した送信信号を、無線フレーム受信部１１０が取得した変調方式情報が指定する変調方式にて送信する（複数の変調方式のうち指定された変調方式で無線信号を送信する）。
【００２４】
無線伝送装置５００は、無線伝送装置１００から送信された無線信号を受信すると、当該無線信号を分離して複数の信号を抽出し、抽出した各信号を送信する。また、無線伝送装置５００は、無線伝送装置１００からの受信信号の品質に基づいて、無線伝送装置１００が送信する無線信号の変調方式を決定し、決定した変調方式を変調方式情報として無線伝送装置１００に送信する。
【００２５】
無線フレーム受信部５１０は、無線信号を受信し、受信した無線信号を、変調方式制御部５１２から出力される変調方式情報が示す変調方式に従って復調し、復調によって得られた信号（無線フレーム）を分離部５１１と信号品質監視部５１９とに出力する。
【００２６】
信号品質監視部５１９は、無線伝送装置１００から送信された無線信号（無線フレーム受信部５１０から出力される信号）の品質を判定し、すなわち、無線伝送装置１００と無線伝送装置５００との間の無線伝送路の状態を判定し、判定結果を示す品質情報を生成して変調方式制御部５１２に出力する。
変調方式制御部５１２は、信号品質監視部５１９から出力された品質情報に従って、無線伝送装置１００（無線フレーム送信部１０６）が送信する無線信号の変調方式を決定して変調方式情報を生成し、生成した変調方式情報を、多重部５０５と無線フレーム受信部５１０と分離部５１１とに出力する。
【００２７】
多重部５０５は、無線伝送装置１００に送信する多重伝送方式の信号（無線フレーム）を生成する。その際、多重部５０５は、生成する信号のオーバーヘッドに、変調方式制御部５１２から出力された変調方式情報を含める。そして、多重部５０５は、生成した信号を無線フレーム送信部５０６に出力する。
無線フレーム送信部５０６は、多重部５０５から出力された信号を変調して送信する。
【００２８】
分離部５１１は、無線フレーム受信部５１０から出力された無線フレームから、多重された各信号やオーバーヘッド（無線オーバーヘッド情報）を分離する。そして、分離部５１１は、分離した信号をＳＴＭ生成部５２２−１とＳＴＭ生成部５２２−２と非多重信号送信部５２４とに出力する。ここで、ＳＴＭ送信部５２３−１は、ＳＴＭ受信部１０１−１が受信するＳＴＭ−１信号の送信先に接続されており、ＳＴＭ送信部５２３−２は、ＳＴＭ受信部１０１−２が受信するＳＴＭ−１信号の送信先に接続されており、非多重信号送信部５２４は、非多重信号受信部１０３が受信する非多重信号の送信先に接続されている。そこで、分離部５１１は、分離した信号のうち、ＳＴＭ受信部１０１−１が受信した信号に対応する信号をＳＴＭ生成部５２２−１に出力し、ＳＴＭ受信部１０１−２が受信した信号に対応する信号をＳＴＭ生成部５２２−２に出力し、非多重信号受信部１０３が受信した信号に対応する信号を非多重信号送信部５２４に出力する。
また、分離部５１１は、分離したオーバーヘッドを無線ＯＨ終端部５２１に出力する。
【００２９】
無線ＯＨ終端部５２１は、分離部５１１から出力されたオーバーヘッドを終端して制御情報を取り出し、取り出した制御情報をＳＴＭ生成部５２２−１および５２２−２と、ＳＴＭ送信部５２３−１および５２３−２と、非多重信号送信部５２４とに出力する。特に、無線ＯＨ終端部５２１は、オーバーヘッドから多重情報を取り出して、ＳＴＭ受信部１０１−１が取得したデータに対する多重情報をＳＴＭ生成部５２２−１に出力し、ＳＴＭ受信部１０１−２が取得したデータに対する多重情報をＳＴＭ生成部５２２−２に出力する。
【００３０】
ＳＴＭ生成部５２２−１は、分離部５１１から出力された信号および無線ＯＨ終端部５２１から出力された多重情報に基づいて、ＳＴＭ−１信号をＳＴＭ送信部５２３−１に出力する。
具体的には、分離部５１１からＳＴＭ−１信号が出力された場合、ＳＴＭ生成部５２２−１は、当該ＳＴＭ−１信号を透過してＳＴＭ送信部５２３−１に出力する。一方、分離部５１１からＳＴＭ−１信号の一部が出力された場合、当該信号を含むＳＴＭ−１信号を生成してＳＴＭ送信部５２３−１に出力する。また、無線ＯＨ終端部５２１から出力された多重情報の値が「ＡＩＳ」の場合、分離部５１１は、ＳＤＨの規定に従ってＡＩＳ信号を生成してＳＴＭ送信部５２３−１に出力する。
同様に、ＳＴＭ生成部５２２−２は、分離部５１１から出力された信号に基づいて、ＳＴＭ−１信号をＳＴＭ送信部５２３−２に出力する。
【００３１】
ＳＴＭ送信部５２３−１は、ＳＴＭ生成部５２２−１から出力されたＳＴＭ−１信号を、ＳＴＭ受信部１０１−１が受信した信号の送信先に送信する。同様に、ＳＴＭ送信部５２３−２は、ＳＴＭ生成部５２２−２から出力されたＳＴＭ−１信号を、ＳＴＭ受信部１０１−２が受信した信号の送信先に送信する。
また、非多重信号送信部５２４は、分離部５１１から出力された信号を、非多重信号受信部１０３が受信した信号の送信先に送信する。
【００３２】
監視端末装置９００は、例えばキーボードやマウス等の操作入力手段を有し、当該入力手段にて抽出指示情報を設定する操作入力を受け付ける。そして、監視端末装置９００は、受け付けた操作入力に従って抽出指示情報を生成して無線伝送装置１００（抽出指示情報取得部１０９）に送信する。
【００３３】
ここで、ＳＴＭ受信部１０１−１と、ＳＴＭ受信部１０１−２と、非多重信号受信部１０３とは、本願発明におけるデータ取得部の一例である。本発明におけるデータ取得部が取得するデータの数は本実施形態における３つに限らず、１つ以上であればよい。また、本発明におけるデータ取得部が取得するデータは、本実施形態で示されるものに限らず、様々な規格のデータを採用しうる。例えば、データ取得部が、ＳＴＭ−４やＳＴＭ−１６など、ＳＴＭ−１以外のＳＴＭ信号を取得するようにしてもよい。また、データ取得部が取得する非多重の信号に対する多重情報を含む抽出指示情報を監視端末装置９００が生成し、無線伝送システム１が、当該多重情報に従って非多重の信号の一部を伝送するようにしてもよい。
【００３４】
次に、図２および図３を用いて抽出指示情報について説明する。
図２は、抽出指示情報のデータ構成を示すデータ構成図である。同図に示すように、抽出指示情報は表形式にて構成され、無線伝送装置１００（無線フレーム送信部１０６）が無線信号を送信する際に採り得る変調方式と、抽出指示情報の行とが１対１に対応付けられている。抽出指示情報の各行において、変調方式の欄には、当該行に対応付けられた変調方式を示す情報が格納されている。また、ＣＨ１の欄には、当該行に対応付けられた変調方式の場合の、チャンネル１の信号（ＳＴＭ受信部１０１−１が受信した信号）に対する多重情報が格納されている。同様に、ＣＨ２の欄には、当該行に対応付けられた変調方式の場合の、チャンネル２の信号（ＳＴＭ受信部１０１−２が受信した信号）に対する多重情報が格納されている。
【００３５】
ここで、多重情報の値「ＳＴＭ−１」は、ＳＴＭ−１信号の全体を、無線フレーム送信部１０６が送信する送信信号に含める指示を示す値である。また、多重情報の値「ＯＨ」は、ＳＴＭ−１信号のうちオーバーヘッド（ＲＳＯＨ）を、無線フレーム送信部１０６が送信する送信信号に含める指示を示す値である。
【００３６】
また、多重情報の値「ＲＥＧ」は、ＳＴＭ−１信号のオーバーヘッド（ＲＳＯＨ）のうちＳＴＭ−１の規格にて使用されている部分を、無線フレーム送信部１０６が送信する送信信号に含める指示を示す値である。すなわち、ＳＤＨで規定されるＳＴＭ−１のオーバーヘッドには、規定にて特定の用途に割り当てられているバイトと、未定義で無線伝送システムのユーザ（以下、「オペレータ」と称する）に開放されているバイトとがある。多重情報の値「ＲＥＧ」は、これらオーバーヘッドの各バイトのうち、規定にて特定の用途に割り当てられているバイトを全て送信信号に含める指示を示す。
例えば、ＳＴＭ−１のオーバーヘッドには、中継セクションの誤り監視用に割り当てられるＢ１バイトなど、他機器の状態監視に有用なバイトが含まれる。そこで、無線伝送システム１がＳＴＭ−１信号のオーバーヘッドのうち、規定にて使用されている部分を伝送することで、無線伝送装置５００側において無線伝送装置１００側の状態を監視し得る。このように無線伝送システム１がＳＴＭ−１信号のオーバーヘッドのうちＳＴＭ−１の規格にて使用されている部分を伝送することで、有用な各種情報を伝送することができる。
【００３７】
また、多重情報の値「ＳＥＬ（・・・）」は、ＳＴＭ−１信号のうち、無線フレーム送信部１０６が送信する送信信号に含めるべき部分の指定を示す値である。
例えば、上記のようにＳＴＭ−１信号には規定で未定義のバイトが含まれており、オペレータは、当該バイトに任意の情報を含めることが出来る。このオペレータが使用するバイトを、多重情報の値「ＳＥＬ（・・・）」にて指定することで、ＳＴＭ−１信号全体を伝送できない場合でも、当該バイトに含まれる情報を伝送し得る。
【００３８】
また、多重情報の値「ＡＩＳ」は、ＳＴＭ−１信号のいずれの部分も、無線フレーム送信部１０６が送信する送信信号に含めない指示を示す値である。
【００３９】
図３は、抽出指示情報の例を示す説明図である。同図の例では、無線フレーム送信部１０６が無線信号を送信する変調方式として、変調方式Ａ、Ｂ、Ｃ、Ｄの４つが設定されている。
このうち、変調方式Ａは、伝送容量は３０メガビット毎秒（Ｍｂｐｓ）と小さいが無線伝送路の状態悪化に対する耐力が大きい変調方式である。また、変調Ｂは、変調方式Ａよりも伝送容量が大きく１００メガビット毎秒であり、無線伝送路の状態悪化に対する耐力は、変調方式Ａよりも小さい変調方式である。また、変調Ｃは、変調方式Ｂよりも伝送容量が大きく３００メガビット毎秒であり、無線伝送路の状態悪化に対する耐力は、変調方式Ｂよりも小さい変調方式である。また、変調Ｄは、変調方式Ｃよりも伝送容量が大きく４００メガビット毎秒であり、無線伝送路の状態悪化に対する耐力は、変調方式Ｃよりも小さい変調方式である。
【００４０】
そして、無線フレーム送信部１０６が変調方式Ａにて無線信号を送信する場合の信号抽出箇所として、ＳＴＭ受信部１０１−１から出力されるＳＴＭ−１信号のうちオーバーヘッドと、ＳＴＭ受信部１０１−２から出力されるＳＴＭ−１信号のうちＤ１バイト〜Ｄ３バイトとが指定されている。
また、無線フレーム送信部１０６が変調方式Ｂにて無線信号を送信する場合の信号抽出箇所として、ＳＴＭ受信部１０１−１から出力されるＳＴＭ−１信号、ＳＴＭ受信部１０１−２から出力されるＳＴＭ−１信号の、それぞれオーバーヘッドが指定されている。
【００４１】
また、無線フレーム送信部１０６が変調方式Ｃにて無線信号を送信する場合の信号抽出箇所として、ＳＴＭ受信部１０１−１から出力されるＳＴＭ−１信号全体と、ＳＴＭ受信部１０１−２から出力されるＳＴＭ−１信号のうちオーバーヘッドとが指定されている。
また、無線フレーム送信部１０６が変調方式Ｄにて無線信号を送信する場合の信号抽出箇所として、ＳＴＭ受信部１０１−１から出力されるＳＴＭ−１信号全体と、ＳＴＭ受信部１０１−２から出力されるＳＴＭ−１信号全体とが指定されている。
【００４２】
このように、図３に示す抽出指示情報では、無線フレーム送信部１０６が無線信号を送信する変調方式の伝送容量に収まるよう、伝送容量が小さい場合は送信データ量（抽出するデータの量）が少なく設定され、伝送容量が大きい場合は送信データ量が多く設定されている。
そして、図３に示す抽出指示情報では、ＳＴＭ−１信号全体を伝送できない場合でも、オーバーヘッドあるいはＤ１バイト〜Ｄ３バイトを伝送するよう設定されている。これによって、無線伝送システム１は、ＳＴＭ−１信号全体を伝送できない場合でも、有用な情報を引き続き伝送し得る。
【００４３】
次に、図４〜図７を参照して、無線伝送システム１の動作について説明する。
図４は、多重制御部１１３が、無線伝送装置１００における信号の多重を制御する処理手順を示すフローチャートである。無線伝送装置１００が無線信号を送信する際、多重制御部１１３は繰り返し同図の処理を行う。
【００４４】
同図の処理において、まず、多重制御部１１３は、変調方式制御部１１２から出力される変調方式情報を取得する（ステップＳ１０１）。また、多重制御部１１３は、抽出指示情報取得部１０９が記憶する抽出箇所情報を取得する（ステップＳ１０２）。そして、多重制御部１１３は、チャンネル毎、すなわち、ＳＴＭ受信部１０１−１、ＳＴＭ受信部１０１−２の各々に対して処理を行うループＬ１１を開始する（ステップＳ１０３）。
【００４５】
ループＬ１１において、多重制御部１１３は、まず、抽出箇所情報の該当箇所を読み出す。すなわち、多重制御部１１３は、抽出箇所情報のうち、変調方式情報が示す変調方式に該当する行、かつ、処理対象のチャンネルの列の欄に格納されているデータを読み出す（ステップＳ１０４）。そして、多重制御部１１３は、読み出したデータに基づいて処理の分岐を行う（ステップＳ１０５）。
【００４６】
ステップＳ１０４で読み出したデータが「ＡＩＳ」であると判定した場合（ステップＳ１０５：ＡＩＳ）、多重制御部１１３は、値が「ＡＩＳ」の多重情報を生成する（ステップＳ１５１）。そして、多重制御部１１３は、生成した多重情報を各部に出力する。特に、多重制御部１１３は、多重情報を多重部１０５に出力することで、処理対象のチャンネルの信号を多重しないよう多重部１０５を制御する（ステップＳ１５２）。
そして、多重制御部１１３は、全てのチャンネルについて、すなわち、ＳＴＭ受信部１０１−１およびＳＴＭ受信部１０１−２の両方についてループＬ１１の処理を行ったか否かを判定する（ステップＳ１６１）。未処理のチャンネルがあると判定した場合は、ステップＳ１０３に戻り、未処理のチャンネルに対する処理を行う。一方、全てのチャンネルについてループＬ１１の処理を行ったと判定した場合は、同図の処理を終了する。
【００４７】
一方、ステップＳ１０５において、ステップＳ１０４で読み出したデータが「ＳＥＬ（・・・）」であると判定した場合（ステップＳ１０５：ＳＥＬ（・・・））、多重制御部１１３は、値が「ＳＥＬ（・・・）」の多重情報を生成する（ステップＳ１４１）。そして、多重制御部１１３は、生成した多重情報を各部に出力する。特に、多重制御部１１３は、多重情報を多重部１０５に出力することで、処理対象のチャンネルのＳＴＭ−１信号のうち「・・・」で指定された部分を多重するよう多重部１０５を制御する（ステップＳ１４２）。
その後、ステップＳ１６１に進む。
【００４８】
一方、ステップＳ１０５において、ステップＳ１０４で読み出したデータが「ＲＥＧ」であると判定した場合（ステップＳ１０５：ＲＥＧ）、多重制御部１１３は、値が「ＲＥＧ」の多重情報を生成する（ステップＳ１３１）。そして、多重制御部１１３は、生成した多重情報を各部に出力する。特に、多重制御部１１３は、多重情報を多重部１０５に出力することで、処理対象のチャンネルのＳＴＭ−１信号のオーバーヘッド（ＲＳＯＨ）のうちＳＴＭ−１の規格にて使用されている各バイトを多重するよう多重部１０５を制御する（ステップＳ１３２）。
その後、ステップＳ１６１に進む。
【００４９】
一方、ステップＳ１０５において、ステップＳ１０４で読み出したデータが「ＯＨ」であると判定した場合（ステップＳ１０５：ＯＨ）、多重制御部１１３は、値が「ＯＨ」の多重情報を生成する（ステップＳ１２１）。そして、多重制御部１１３は、生成した多重情報を各部に出力する。特に、多重制御部１１３は、多重情報を多重部１０５に出力することで、処理対象のチャンネルのＳＴＭ−１信号のうちオーバーヘッド（ＲＳＯＨ）を多重するよう多重部１０５を制御する（ステップＳ１２２）。
その後、ステップＳ１６１に進む。
【００５０】
一方、ステップＳ１０５において、ステップＳ１０４で読み出したデータが「ＳＴＭ−１」であると判定した場合（ステップＳ１０５：ＳＴＭ−１）、多重制御部１１３は、値が「ＳＴＭ−１」の多重情報を生成する（ステップＳ１１１）。そして、多重制御部１１３は、生成した多重情報を各部に出力する。特に、多重制御部１１３は、多重情報を多重部１０５に出力することで、処理対象のチャンネルのＳＴＭ−１信号全体を多重するよう多重部１０５を制御する（ステップＳ１１２）。
その後、ステップＳ１６１に進む。
【００５１】
図５は、多重部１０５が行う多重処理の例を示す説明図である。同図は、図３で説明した抽出指示方法を用いて、多重制御部１１３が図４で説明した処理を行う場合に、多重部１０５が送信信号に含める信号を示す。
例えば、無線フレーム送信部１０６が変調方式Ａにて無線信号を送信する場合、多重部１０５は、ＳＯＨ抽出部１０２−１から出力されるＲＳＯＨ情報を取得し、また、ＳＯＨ抽出部１０２−２から出力されるＲＳＯＨ情報のうちＤ１バイト〜Ｄ３バイトを抽出し、これらの信号と非多重信号受信部１０３から出力される信号とを多重して送信信号を生成する。
【００５２】
また、無線フレーム送信部１０６が変調方式Ｂにて無線信号を送信する場合、多重部１０５は、ＳＯＨ抽出部１０２−１および１０２−２から出力されるＲＳＯＨ情報を、それぞれ取得し、これらの信号と非多重信号受信部１０３から出力される信号とを多重して送信信号を生成する。
【００５３】
また、無線フレーム送信部１０６が変調方式Ｃにて無線信号を送信する場合、多重部１０５は、ＳＴＭ受信部１０１−１から出力されるＳＴＭ−１信号全体を抽出（透過）し、また、ＳＯＨ抽出部１０２−２から出力されるＲＳＯＨ情報を取得し、これらの信号と非多重信号受信部１０３から出力される信号とを多重して送信信号を生成する。
【００５４】
また、無線フレーム送信部１０６が変調方式Ｄにて無線信号を送信する場合、多重部１０５は、ＳＴＭ受信部１０１−１から出力されるＳＴＭ−１信号全体、および、ＳＴＭ受信部１０１−２から出力されるＳＴＭ−１信号全体を抽出（透過）し、これらの信号と非多重信号受信部１０３から出力される信号とを多重して送信信号を生成する。
【００５５】
図６は、無線ＯＨ生成部１０４が無線オーバーヘッド情報に含める多重情報の例を示す説明図である。同図は、図３で説明した抽出指示方法を用いて、多重制御部１１３が図４で説明した処理を行う場合に、無線ＯＨ生成部１０４が無線オーバーヘッド情報に含める多重情報を示す。
例えば、無線フレーム送信部１０６が変調方式Ａにて無線信号を送信する場合、無線ＯＨ生成部１０４は、チャンネル１（ＳＴＭ受信部１０１−１から出力されるＳＴＭ−１信号）に対する多重情報「ＯＨ」と、チャンネル２（ＳＴＭ受信部１０１−２から出力されるＳＴＭ−１信号）に対する多重情報「ＳＥＬ（Ｄ１〜Ｄ３）」とを含む無線オーバーヘッド情報を生成する。
また、無線フレーム送信部１０６が変調方式Ｂにて無線信号を送信する場合、無線ＯＨ生成部１０４は、チャンネル１に対する多重情報「ＯＨ」と、チャンネル２に対する多重情報「ＯＨ」とを含む無線オーバーヘッド情報を生成する。
【００５６】
また、無線フレーム送信部１０６が変調方式Ｃにて無線信号を送信する場合、無線ＯＨ生成部１０４は、チャンネル１に対する多重情報「ＳＴＭ−１」と、チャンネル２に対する多重情報「ＯＨ」とを含む無線オーバーヘッド情報を生成する。
また、無線フレーム送信部１０６が変調方式Ｄにて無線信号を送信する場合、無線ＯＨ生成部１０４は、チャンネル１に対する多重情報「ＳＴＭ−１」と、チャンネル２に対する多重情報「ＳＴＭ−１」とを含む無線オーバーヘッド情報を生成する。
【００５７】
無線フレーム送信部１０６は、生成した無線オーバーヘッド情報を多重部１０５に出力し、多重部１０５は、当該無線オーバーヘッド情報をオーバーヘッドとして送信信号に含めて送信する。このように、無線伝送装置１００が無線信号に多重情報を含めて送信することで、図７を用いて後述するように、無線伝送装置５００は、多重部１０５から送信された信号からＳＴＭ−１信号を生成することができる。
【００５８】
図７は、無線伝送装置５００が、無線伝送装置１００から送信された信号からデータを抽出してＳＴＭ−１信号を送信する処理手順を示すフローチャートである。無線伝送装置５００は、無線伝送装置１００からの信号を受信する毎に、同図の処理を繰り返す。
なお、図７のフローチャートでは、１チャンネル分の処理（チャンネル１に対する処理）の手順が示されている。無線伝送装置５００は、各チャンネル（チャンネル１およびチャンネル２）について同様の処理を行い、さらに、非多重の信号を抽出して非多重信号送信部５２４から送信する。
【００５９】
同図の処理において、まず、無線フレーム受信部５１０が、無線伝送装置１００（無線フレーム送信部１０６）から送信された信号を受信し、分離部５１１が当該信号から各信号および無線オーバーヘッド情報を分離する。そして、無線ＯＨ終端部５２１が当該無線オーバーヘッド情報を終端して多重情報を取得する（ステップＳ２０１）。
【００６０】
そして、ＳＴＭ生成部５２２−１は、無線ＯＨ終端部５２１が取得した多重情報のうちチャンネル１に対する多重情報に基づいて処理の分岐を行う（ステップＳ２０２）。
チャンネル１に対する多重情報の値が「ＡＩＳ」であると判定した場合（ステップＳ２０２：ＡＩＳ）、ＳＴＭ生成部５２２−１は、無線伝送装置５００の装置クロックに基づいてＳＴＭ−１フレームを生成する（ステップＳ２５１）。そして、ＳＴＭ生成部５２２−１は、生成したフレームに、フレーム同期用のバイトであるＡ１バイトおよびＡ２バイトをマッピングし（ステップＳ２５２）、他のバイトについては、全ビット値を１に設定する（ステップＳ２５３）。そして、ＳＴＭ生成部５２２−１は、得られたフレームをＳＴＭ−１信号としてＳＴＭ送信部５２３−１に出力し、ＳＴＭ送信部５２３−１は当該ＳＴＭ−１信号を送信する（ステップＳ２５４）。
その後、同図の処理を終了する。
【００６１】
一方、ステップＳ２０２において、チャンネル１に対する多重情報の値が「ＲＥＧ」であると判定した場合（ステップＳ２０２：ＲＥＧ）、ＳＴＭ生成部５２２−１は、ステップＳ２５１の場合と同様にＳＴＭ−１フレームを生成する（ステップＳ２４１）。そして、ＳＴＭ生成部５２２−１は、ステップＳ２０１で分離部５１１が分離したチャンネル１の信号から、ＳＴＭ−１の規格にて使用されている各バイトの値を読み出し、ステップＳ２４１で生成したフレームの該当部分に挿入する（ステップＳ２４２）。
そして、ＳＴＭ生成部５２２−１は、中継セクションの誤り監視用のバイトであるＢ１バイトの再演算を行ってフレームに挿入する（ステップＳ２４３）。そして、ＳＴＭ生成部５２２−１は、得られたフレームをＳＴＭ−１信号としてＳＴＭ送信部５２３−１に出力し、ＳＴＭ送信部５２３−１は当該ＳＴＭ−１信号を送信する（ステップＳ２４４）。
その後、同図の処理を終了する。
【００６２】
一方、ステップＳ２０２において、チャンネル１に対する多重情報の値が「ＳＥＬ（・・・）」であると判定した場合（ステップＳ２０２：ＳＥＬ（・・・））、ＳＴＭ生成部５２２−１は、ステップＳ２５１の場合と同様にＳＴＭ−１フレームを生成する（ステップＳ２３１）。そして、ＳＴＭ生成部５２２−１は、ステップＳ２０１で分離部５１１が分離したチャンネル１の信号から、多重情報にて指定されている部分のデータを読み出し、ステップＳ２３１で生成したフレームの該当部分に挿入する（ステップＳ２３２）。
ステップＳ２３３〜Ｓ２３４は、ステップＳ２４３〜Ｓ２４４と同様である。
その後、同図の処理を終了する。
【００６３】
一方、ステップＳ２０２において、チャンネル１に対する多重情報の値が「ＯＨ」であると判定した場合（ステップＳ２０２：ＯＨ）、ＳＴＭ生成部５２２−１は、ステップＳ２５１の場合と同様にＳＴＭ−１フレームを生成する（ステップＳ２２１）。そして、ＳＴＭ生成部５２２−１は、ステップＳ２０１で分離部５１１が分離したチャンネル１の信号から、オーバーヘッド（ＲＳＯＨ）を読み出し、ステップＳ２２１で生成したフレームの該当部分に挿入する（ステップＳ２２２）。
ステップＳ２２３〜Ｓ２２４は、ステップＳ２４３〜Ｓ２４４と同様である。
その後、同図の処理を終了する。
【００６４】
一方、ステップＳ２０２において、チャンネル１に対する多重情報の値が「ＳＴＭ−１」であると判定した場合（ステップＳ２０２：ＳＴＭ−１）、ＳＴＭ生成部５２２−１は、ステップＳ２０１で分離部５１１が分離したチャンネル１のＳＴＭ−１信号を取得してＳＴＭ送信部５２３−１に出力し、ＳＴＭ送信部５２３−１は当該ＳＴＭ−１信号を送信する（ステップＳ２１１）。
その後、同図の処理を終了する。
【００６５】
以上のように、抽出指示情報取得部１０９が抽出指示情報を取得し、この抽出指示情報に従って多重部１０５が無線信号を生成し、無線フレーム送信部１０６が当該無線信号を送信する。これにより、無線伝送装置１００と無線伝送装置５００との間の伝送路状態が悪化して、ＳＴＭ受信部１０１−１、ＳＴＭ受信部１０１−２および非多重信号受信部１０３が受信した信号の全てを無線伝送装置１００が送信できない場合でも、無線伝送装置１００は、抽出指示情報に示される情報を優先的に送信することができる。これによって、無線伝送システム１は、ＲＳＯＨまたはオペレータによって指定されたバイトなど、オペレータが所望する情報を優先的に伝送することができる。従って、無線伝送路の状態が悪化し、適応変調方式の機能により伝送容量が減少して情報が選択的に送信される場合でも、無線伝送装置５００や、その先に接続されているネットワーク上の装置（無線伝送装置５００からの信号が直接または間接的に送信される装置）において、装置の監視や制御を行い得る。
なお、本実施形態では、無線伝送システム１がＲＳＯＨや、ＲＳＯＨのうちオペレータによって指定されたバイトを伝送する場合を例に説明したが、本発明の適用範囲は、これに限らず、様々な部分の伝送に本発明を用いることができる。例えば、無線伝送システム１が、ＭＳＯＨ（Multiplex Section Overhead）や、ＭＳＯＨのうちオペレータによって指定されたバイトを伝送するようにしてもよい。
【００６６】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００６７】
１  無線伝送システム
１００  無線伝送装置
１０１−１、１０１−２  ＳＴＭ受信部
１０２−１、１０２−２  ＳＯＨ抽出部
１０３  非多重信号受信部
１０４  無線ＯＨ生成部
１０５  多重部
１０６  無線フレーム送信部
１０９  抽出指示情報取得部
１１０  無線フレーム受信部
１１１  分離部
１１２  変調方式制御部
１１３  多重制御部
５００  無線伝送装置
５０５  多重部
５０６  無線フレーム送信部
５１０  無線フレーム受信部
５１１  分離部
５１２  変調方式制御部
５１９  信号品質監視部
５２１  無線ＯＨ終端部
５２２−１、５２２−２  ＳＴＭ生成部
５２３−１、５２３−２  ＳＴＭ送信部
５２４  非多重信号送信部
９００  監視端末装置
【図１】
0005736984.tif 000002
【図２】
0005736984.tif 000003
【図３】
0005736984.tif 000004
【図４】
0005736984.tif 000005
【図５】
0005736984.tif 000006
【図６】
0005736984.tif 000007
【図７】
0005736984.tif 000008